(57)【要約】高周波フロントエンド回路（１０）は、第１、第２スイッチ回路（３１，３２）、第１、第２、第３分波器（２０，４１，４２）、第１、第２線路（ＬＮｔｘ１，ＬＮｒｘ２）を備える。第１線路（ＬＮｔｘ１）は、第２分波器（４１）に接続されている。第２線路（ＬＮｒｘ２）は、第３分波器（４２）に接続されている。調整回路（５０）は、第１、第２線路（ＬＮｔｘ１，ＬＮｒｘ２）間に接続されている。第１線路（ＬＮｔｘ１）を伝送する送信信号の高調波信号の周波数は第２線路（ＬＮｒｘ２）を伝送する受信信号の周波数に近接するまたは重なる周波数帯域を有する。調整回路（５０）から第２線路（ＬＮｒｘ２）に伝送する高調波信号と第３分波器（４２）から第２線路（ＬＮｒｘ２）に伝送する高調波信号とが調整回路（５０）と第２線路（ＬＮｒｘ２）との接続点で同相にならないように、調整回路（５０）のインピーダンスは設定されている。
2016194923.tif 000002
【特許請求の範囲】
【請求項１】
ローバンド用の第１スイッチ回路と、
ハイバンド用の第２スイッチ回路と、
前記第１スイッチ回路の共通端子と前記第２スイッチ回路の共通端子が接続された第１分波器と、
前記第１スイッチ回路の被選択端子に接続された第２分波器と、
前記第２スイッチ回路の被選択端子に接続された第３分波器と、
前記第２分波器に接続される前記ローバンドの第１通信バンドの送信信号を伝送する第１線路と、
前記第３分波器に接続される前記ハイバンドの第２通信バンド用の受信信号を伝送する第２線路と、
前記第１線路と前記第２線路との間に接続された調整回路と、を備え、
前記第１通信バンドの送信信号の高調波信号は、前記第２通信バンドの受信信号の基本周波数に近接するまたは重なる周波数帯域を有し、
前記調整回路から前記第２線路に伝送する前記高調波信号と前記第３分波器から前記第２線路に伝送する高調波信号とが前記調整回路と前記第２線路との接続点で同相にならないように、前記調整回路のインピーダンスは、設定されている、
高周波フロントエンド回路。
【請求項２】
前記調整回路から前記第２線路に伝送する前記高調波信号と前記第３分波器から前記第２線路に伝送する高調波信号とが前記調整回路と前記第２線路との接続点で逆相になるように、前記調整回路のインピーダンスは、設定されている、
請求項１に記載の高周波フロントエンド回路。
【請求項３】
前記調整回路から前記第２線路に伝送する前記高調波信号と前記第３分波器から前記第２線路に伝送する高調波信号とが前記調整回路と前記第２線路との接続点で同じ振幅になるように、前記調整回路のインピーダンスは、設定されている、
請求項２に記載の高周波フロントエンド回路。
【請求項４】
前記調整回路は、
抵抗とインダクタの直列回路を備える、
請求項１乃至請求項３のいずれかに記載の高周波フロントエンド回路。
【請求項５】
前記調整回路は、
前記インダクタに並列接続されたキャパシタを備える、
請求項４に記載の高周波フロントエンド回路。
【請求項６】
前記インダクタとキャパシタの並列回路は、
前記第１通信バンドの送信信号の基本周波数に近接又は重なる共振周波数を有する、
請求項５に記載の高周波フロントエンド回路。
【発明の詳細な説明】
【技術分野】
【０００１】
本発明は、複数の通信バンドの高周波信号を送受信するアンテナに接続される分波機能を有する高周波フロントエンド回路に関する。
【背景技術】
【０００２】
従来、複数の通信バンドの高周波信号を、これらに共通のアンテナで送受信する装置が各種考案されている。この装置では、アンテナで送受信する高周波信号を通信バンド毎に分波する機能を有する高周波フロントエンド回路を備える。【０００３】
従来の高周波フロントエンド回路としては、例えば、特許文献１に示すように、スイッチによって送受信する通信バンドを切り換える構成を有する高周波スイッチモジュールが実用化されている。
【先行技術文献】
【特許文献】
【０００４】
【特許文献１】特許第５１３６５３２号公報
【発明の概要】
【発明が解決しようとする課題】
【０００５】
特許文献１に示すようなスイッチを用いた場合で、複数の通信バンドを同時に送受信する場合、図５に示すような回路構成が一般的に考えられる。なお、複数の通信バンドを同時に送受信する場合とは、１つの通信バンドにおいて送信のみまたは受信のみを行う場合も含む。図５は、従来の高周波フロントエンド回路の回路図である。【０００６】
図５に示すように、従来の高周波フロントエンド回路１０Ｐは、第１分波器２０、第１スイッチ回路３１、第２スイッチ回路３２、第２分波器４１、第３分波器４２を備える。【０００７】
第１分波器２０は、アンテナＡＮＴ、第１スイッチ回路３１、第２スイッチ回路３２に接続されている。【０００８】
第１スイッチ回路３１は、共通端子Ｐ１０と被選択端子Ｐ１１−Ｐ１４を備える。被選択端子Ｐ１１−Ｐ１４は、共通端子Ｐ１０に対して選択的に接続される。共通端子Ｐ１０は、第１分波器２０に接続されている。被選択端子Ｐ１１−Ｐ１４は、それぞれ個別の通信バンドの回路に接続されている。図５の例であれば、被選択端子Ｐ１２は、通信バンドＡ用の第２分波器４１に接続されている。【０００９】
第２分波器４１は、第１送信信号入力端子Ｐｔｘ１と第１受信信号出力端子Ｐｒｘ１に接続されている。【００１０】
第２スイッチ回路３２は、共通端子Ｐ２０と被選択端子Ｐ２１−Ｐ２４を備える。被選択端子Ｐ２１−Ｐ２４は、共通端子Ｐ２０に対して選択的に接続される。共通端子Ｐ２０は、第１分波器２０に接続されている。被選択端子Ｐ２１−Ｐ２４は、それぞれ個別の通信バンドの回路に接続されている。図５の例であれば、被選択端子Ｐ２２は、通信バンドＢ用の第３分波器４２に接続されている。【００１１】
第３分波器４２は、第２送信信号入力端子Ｐｔｘ２と第２受信信号出力端子Ｐｒｘ２に接続されている。【００１２】
ここで、通信バンドＡの送信と通信バンドＢの受信が同時に行われる場合で、通信バンドＡの送信信号の高調波信号の周波数と通信バンドＢの受信信号の周波数（基本周波数）が近接又は重なっている場合、第１送信信号入力端子Ｐｔｘ１から入力された通信バンドＡの送信信号の高調波信号が第２受信信号出力端子Ｐｒｘ２に回り込んでしまう可能性がある。【００１３】
この現象が生じた場合、通信バンドＢの受信信号の受信感度が劣化してしまう。【００１４】
したがって、本発明の目的は、同時送受信による受信感度の劣化を抑制できる高周波フロントエンド回路を提供することにある。
【課題を解決するための手段】
【００１５】
この発明の高周波フロントエンド回路は、ローバンド用の第１スイッチ回路と、ハイバンド用の第２スイッチ回路と、第１、第２、第３分波器と、第１、第２線路を備える。第１分波器は、第１スイッチ回路の共通端子と第２スイッチ回路の共通端子が接続されている。第２分波器は、第１スイッチ回路の被選択端子に接続されている。第３分波器は、第２スイッチ回路の被選択端子に接続されている。第１線路は、第２分波器に接続されており、ローバンドの第１通信バンドの送信信号を伝送する。第２線路は、第３分波器に接続されており、ハイバンドの第２通信バンド用の受信信号を伝送する。調整回路は、第１線路と第２線路との間に接続されており、次の条件を満たすようにインピーダンスが設定されている。第１通信バンドの送信信号の高調波信号は、第２通信バンドの受信信号の基本周波数に近接するまたは重なる周波数帯域を有する場合に、調整回路から第２線路に伝送する高調波信号と第３分波器から第２線路に伝送する高調波信号とが調整回路と第２線路との接続点で同相にならない。【００１６】
この構成では、調整回路から第２線路に伝送する高調波信号（相殺用の高調波信号）と第３分波器から第２線路に伝送する高調波信号（相殺対象の高調波信号）とが弱め合う。【００１７】
また、この発明の高周波フロントエンド回路では、調整回路から第２線路に伝送する高調波信号と第３分波器から第２線路に伝送する高調波信号とが調整回路と第２線路との接続点で逆相になるように、調整回路のインピーダンスは、設定されていることが好ましい。【００１８】
この構成では、調整回路から第２線路に伝送する高調波信号（相殺用の高調波信号）と第３分波器から第２線路に伝送する高調波信号（相殺対象の高調波信号）とがさらに確実に弱め合う。【００１９】
また、この発明の高周波フロントエンド回路では、調整回路から第２線路に伝送する高調波信号と第３分波器から第２線路に伝送する高調波信号とが調整回路と第２線路との接続点で同じ振幅になるように、調整回路のインピーダンスは、設定されていることが好ましい。【００２０】
この構成では、調整回路から第２線路に伝送する高調波信号（相殺用の高調波信号）と第３分波器から第２線路に伝送する高調波信号（相殺対象の高調波信号）とが確実に相殺する。【００２１】
また、この発明の高周波フロントエンド回路では、調整回路は、抵抗とインダクタの直列回路を備えていてもよい。【００２２】
この構成では、抵抗によって振幅が調整され、インダクタによって位相が調整される。これによい、相殺用の高調波信号の振幅及び位相を容易に設定することができる。【００２３】
また、この発明の高周波フロントエンド回路では、調整回路は、インダクタに並列接続されたキャパシタを備えることが好ましい。【００２４】
この構成では、調整回路の位相を所定値に設定することを、さらに確実にすることができる。【００２５】
また、この発明の高周波フロントエンド回路では、インダクタとキャパシタの並列回路の共振周波数は、第１通信バンドの送信信号の基本周波数に近接又は重なる。【００２６】
この構成では、第１通信バンドの送信信号が調整回路を介して第２線路に漏洩（伝送）することを、より確実に抑制できる。
【発明の効果】
【００２７】
この発明によれば、同時送受信による受信感度の劣化を抑制することができる。
【図面の簡単な説明】
【００２８】
【図１】本発明の第１の実施形態に係る高周波フロントエンド回路の回路図である。
【図２】本発明の第１の実施形態に係る調整回路の回路図である。
【図３】本発明の第２の実施形態に係る調整回路の回路図である。
【図４】本発明の第３の実施形態に係る高周波フロントエンド回路の回路図である。
【図５】従来の高周波フロントエンド回路の回路図である。
【発明を実施するための形態】
【００２９】
本発明の第１の実施形態に係る高周波フロントエンド回路について、図を参照して説明する。図１は、本発明の第１の実施形態に係る高周波フロントエンド回路の回路図である。
【００３０】
図１に示すように、高周波フロントエンド回路１０は、第１分波器２０、第１スイッチ回路３１、第２スイッチ回路３２、第２分波器４１、第３分波器４２、および、調整回路５０を備える。
【００３１】
第１分波器２０は、所謂、大きく通信バンドを分けるダイプレクサである。第１分波器２０は、ローパスフィルタ２１とハイパスフィルタ２２を組み合わせによって構成されている。第１分波器２０は、共通端子、低周波数側端子、および高周波数側端子を備える。ローパスフィルタ２１は、共通端子と低周波数側端子との間に接続されている。ハイパスフィルタ２２は、共通端子と高周波数側端子との間に接続されている。
【００３２】
共通端子は、外部のアンテナＡＮＴに接続されている。低周波数側端子は、第１スイッチ回路３１の共通端子Ｐ１０に接続されている。高周波数側端子は、第２スイッチ回路３２の共通端子Ｐ２０に接続されている。
【００３３】
第１分波器２０は、ローバンド（ＬｏｗＢＡＮＤ）の周波数帯域の高周波信号を、ローパスフィルタ２１を介して、アンテナＡＮＴと第１スイッチ回路３１との間で低損失に伝送する。第１分波器２０は、ハイバンド（ＨｉＢＡＮＤ）の周波数帯域の高周波信号を、ハイパスフィルタ２２を介して、アンテナＡＮＴと第２スイッチ回路３２との間で低損失に伝送する。
【００３４】
第１スイッチ回路３１は、共通端子Ｐ１０と被選択端子Ｐ１１−Ｐ１４を備える。被選択端子Ｐ１１−Ｐ１４は、共通端子Ｐ１０に対して選択的に接続される。
【００３５】
第１スイッチ回路３１の各被選択端子Ｐ１１−Ｐ１４には、それぞれローバンドの通信バンド毎の送受信回路が接続されている。例えば、図１に示すように、被選択端子Ｐ１２には、ローバンドの通信バンドＡ用の第２分波器４１が接続されている。なお、図示していないが、被選択端子Ｐ１１，Ｐ１３，Ｐ１４についても、被選択端子Ｐ１２に接続される回路と同様の回路が接続されている。
【００３６】
第２分波器４１は、所謂１つの通信バンドを構成する送信信号と受信信号を分けるデュプレクサである。第２分波器４１は、ローパスフィルタ４１１とハイパスフィルタ４１２の組み合わせによって構成されている。なお、送信信号及び受信信号の周波数帯域によっては、通過帯域の異なる２つの弾性波フィルタによって、第２分波器４１を構成してもよい。
【００３７】
ローパスフィルタ４１１は、第１スイッチ回路３１の被選択端子Ｐ１２と第１受信信号出力端子Ｐｒｘ１との間に接続されている。ローパスフィルタ４１１は、第１受信用線路ＬＮｒｘ１を介して第１受信信号出力端子Ｐｒｘ１に接続されている。
【００３８】
ハイパスフィルタ４１２は、第１スイッチ回路３１の被選択端子Ｐ１２と第１送信信号入力端子Ｐｔｘ１との間に接続されている。ハイパスフィルタ４１２は、第１送信用線路（本発明の「第１線路」に相当する。）ＬＮｔｘ１を介して第１送信信号入力端子Ｐｔｘ１に接続されている。
【００３９】
第２スイッチ回路３２は、共通端子Ｐ２０と被選択端子Ｐ２１−Ｐ２４を備える。被選択端子Ｐ２１−Ｐ２４は、共通端子Ｐ２０に対して選択的に接続される。
【００４０】
第２スイッチ回路３２の各被選択端子Ｐ２１−Ｐ２４には、それぞれハイバンドの通信バンド毎の送受信回路が接続されている。例えば、図１に示すように、被選択端子Ｐ２３には、ハイバンドの通信バンドＢ用の第３分波器４２が接続されている。なお、図示していないが、被選択端子Ｐ２１，Ｐ２２，Ｐ２４についても、被選択端子Ｐ２３に接続される回路と同様の回路が接続されている。第２スイッチ回路３２の各被選択端子Ｐ２１−Ｐ２４に接続された送受信回路の通過帯域の周波数は、第１スイッチ回路３１の各被選択端子Ｐ１１−Ｐ１４に接続された送受信回路の通過帯域の周波数より高い。
【００４１】
第３分波器４２は、所謂１つの通信バンドを構成する送信信号と受信信号を分けるデュプレクサである。第３分波器４２は、ローパスフィルタ４２１とハイパスフィルタ４２２の組み合わせによって構成されている。なお、送信信号及び受信信号の周波数帯域によっては、通過帯域の異なる２つの弾性波フィルタによって、第３分波器４２を構成してもよい。
【００４２】
ローパスフィルタ４２１は、第２スイッチ回路３２の被選択端子Ｐ２３と第２受信信号出力端子Ｐｒｘ２との間に接続されている。ローパスフィルタ４２１は、第２受信用線路（本発明の「第２線路」に相当する。）ＬＮｒｘ２を介して第２受信信号出力端子Ｐｒｘ２に接続されている。
【００４３】
ハイパスフィルタ４２２は、第２スイッチ回路３２の被選択端子Ｐ２２と第２送信信号入力端子Ｐｔｘ２との間に接続されている。ハイパスフィルタ４２２は、第２送信用線路ＬＮｔｘ２を介して第２送信信号入力端子Ｐｔｘ２に接続されている。
【００４４】
調整回路５０は、第１送信用線路ＬＮｔｘ１と第２受信用線路ＬＮｒｘ２との間に接続されている。図２は、本発明の第１の実施形態に係る調整回路の回路図である。なお、図２には、調整回路５０を用いた高調波信号の相殺原理を説明する各信号を表す線も記載している。
【００４５】
調整回路５０は、抵抗器５１、インダクタ５２を備える。抵抗器５１とインダクタ５２は、第１送信用線路ＬＮｔｘ１と第２受信用線路ＬＮｒｘ２との間に、直列接続されている。調整回路５０と第１送信用線路ＬＮｔｘ１との接続点はＰＣ１であり、調整回路５０と第２受信用線路ＬＮｒｘ２との接続点はＰＣ２である。
【００４６】
このような回路構成とすることによって、高周波フロントエンド回路１０は次の作用効果を奏することができる。
【００４７】
ローバンドの通信バンドＡの送信と、ハイバンドの通信バンドＢの受信を同時に行う。すなわち、通信バンドＡの送信と通信バンドＢの受信のキャリアアグリゲーションを行う。なお、この際、通信バンドＡの受信、通信バンドＢの送信は行っていてもいなくてもよい。
【００４８】
この場合、第１スイッチ回路３１では、共通端子Ｐ１０と被選択端子Ｐ１２が接続されている。第２スイッチ回路３２では、共通端子Ｐ２０と被選択端子Ｐ２３が接続されている。
【００４９】
通信バンドＡの送信信号Ｓｔｘ１は、第１送信信号入力端子Ｐｔｘ１から入力され、第１送信用線路ＬＮｔｘ１、第２分波器４１、第１スイッチ回路３１、および、第１分波器２０を介して、アンテナＡＮＴに伝送される。
【００５０】
通信バンドＢの受信信号Ｓｒｘ２は、アンテナＡＮＴから入力（アンテナＡＮＴで受信）され、第１分波器２０、第２スイッチ回路３２、第３分波器４２、および、第２受信用線路ＬＮｒｘ２を介して、第２受信信号出力端子Ｐｒｘ２に伝送される。
【００５１】
ここで、通信バンドＡの送信信号Ｓｔｘ１の高調波信号の周波数が、通信バンドＢの受信信号Ｓｒｘ２の周波数（基本周波数）に近接又は重なっている場合、通信バンドＡの送信信号Ｓｔｘ１の高調波信号は、第３分波器４２を介して、第２受信用線路ＬＮｒｘ２に伝送される。これが、図２に示す相殺対象の高調波信号Ｓｄである。
【００５２】
これは、例えば、第１分波器２０におけるローパスフィルタ２１とハイパスフィルタ２２との間で漏洩した通信バンドＡの送信信号Ｓｔｘ１の高調波信号、アンテナＡＮＴで反射した通信バンドＡの送信信号Ｓｔｘ１の高調波信号等によるものである。
【００５３】
また、第１送信用線路ＬＮｔｘ１から調整回路５０を介して第２受信用線路ＬＮｒｘ２に通信バンドＡの送信信号Ｓｔｘ１の高調波信号が伝送される。これが、図２に示す相殺用の高調波信号Ｓｓである。
【００５４】
ここで、調整回路５０のインピーダンス、すなわち、抵抗器５１の抵抗値Ｒ、および、インダクタ５２のインダクタンスＬは、次に示すように設定されている。
【００５５】
（抵抗器５１の抵抗値Ｒ）
相殺対象の高調波信号Ｓｄの振幅と相殺用の高調波信号Ｓｓの振幅とが略一致するように、抵抗器５１の抵抗値Ｒは設定されている。特に、相殺対象の高調波信号Ｓｄの振幅と相殺用の高調波信号Ｓｓの振幅とが一致するように、抵抗器５１の抵抗値Ｒは設定されていることが好ましい。
【００５６】
（インダクタ５２のインダクタンスＬ）
相殺対象の高調波信号Ｓｄの位相と相殺用の高調波信号Ｓｓの位相とが接続点ＰＣ２において同相にならないように、インダクタ５２のインダクタンスＬは設定されている。特に、相殺対象の高調波信号Ｓｄの位相と相殺用の高調波信号Ｓｓの位相とが接続点ＰＣ２において逆相になるように、インダクタ５２のインダクタンスＬは設定されていることが好ましい。
【００５７】
このような構成とすることによって、相殺対象の高調波信号Ｓｄと相殺用の高調波信号Ｓｓとが弱め合い、第２受信信号出力端子Ｐｒｘ２に伝送される高調波信号を抑圧することができる。特に、相殺対象の高調波信号Ｓｄの振幅と相殺用の高調波信号Ｓｓの振幅とが一致し、相殺対象の高調波信号Ｓｄの位相と相殺用の高調波信号Ｓｓの位相とが接続点ＰＣ２において逆相になることによって、相殺対象の高調波信号Ｓｄと相殺用の高調波信号Ｓｓとを相殺できる。これにより、第２受信信号出力端子Ｐｒｘ２に伝送される高調波信号を無くすことができる。
【００５８】
このような構成によって、第２受信信号出力端子Ｐｒｘ２における通信バンドＢの受信信号Ｓｒｘ２に対する受信感度の劣化を抑制することができる。
【００５９】
なお、抵抗器５１およびインダクタ５２は、回路基板上に実装される実装部品であっても、回路基板に形成される導体パターンであってもよい。しかしながら、実装部品を用いることによって、容易に取り替えることが可能になる。したがって、調整回路５０を所望のインピーダンスに設定する作業を容易に行うことができ、回路形成後も容易に変更、調整することができる。
【００６０】
次に、第２の実施形態に係る高周波フロントエンド回路について、図を参照して説明する。図３は、本発明の第２の実施形態に係る高周波フロントエンド回路の調整回路の回路図である。
【００６１】
本実施形態に係る高周波フロントエンド回路は、第１の実施形態に係る高周波フロントエンド回路１０に対して、調整回路５０Ａの構成が異なる。
【００６２】
調整回路５０Ａは、抵抗器５１、インダクタ５２、および、キャパシタ５３を備える。
【００６３】
抵抗器５１とインダクタ５２は、第１送信用線路ＬＮｔｘ１と第２受信用線路ＬＮｒｘ２との間に、直列接続されている。キャパシタ５３は、インダクタ５２に並列接続されている。
【００６４】
したがって、調整回路５０Ａは、インダクタ５２とキャパシタ５３との並列共振回路と、抵抗器５１との直列回路によって構成されている。
【００６５】
抵抗器５１の抵抗値Ｒは、第１の実施形態と同じ原理によって設定されている。
【００６６】
インダクタ５２のインダクタンスＬ、および、キャパシタ５３のキャパシタンスＣは、次のように設定されている。
【００６７】
相殺対象の高調波信号Ｓｄの位相と相殺用の高調波信号Ｓｓの位相とが接続点ＰＣ２において同相にならないように、インダクタ５２のインダクタンスＬおよびキャパシタ５３のキャパシタンスＣは設定されている。特に、相殺対象の高調波信号Ｓｄの位相と相殺用の高調波信号Ｓｓの位相とが接続点ＰＣ２において逆相になるように、インダクタ５２のインダクタンスＬおよびキャパシタ５３のキャパシタンスＣは設定されていることが好ましい。
【００６８】
さらに、インダクタ５２とキャパシタ５３の並列共振回路の共振周波数ｆｒは、通信バンドＡの送信信号Ｓｔｘ１の周波数ｆｔｘ１に略等しい。
【００６９】
このような構成とすることによって、上述の通信バンドＡの送信信号Ｓｔｘ１の高調波信号が第２受信信号出力端子Ｐｒｘ２に漏洩することを抑制でき、且つ、送信信号Ｓｔｘ１が第２受信信号出力端子Ｐｒｘ２に漏洩することを抑制できる。
【００７０】
これにより、通信バンドＢの受信感度の劣化を抑制できるとともに、送信信号Ｓｔｘ１の流入による後段回路の破損を抑制することができる。
【００７１】
なお、共振周波数ｆｒは送信信号Ｓｔｘ１の周波数ｆｔｘ１に等しくなくても、少なくとも、上述の高調波信号の弱め合いを行える位相シフトが得られれば、インダクタ５２のインダクタンスＬおよびキャパシタ５３のキャパシタンスＣを適宜設定すればよい。この場合、インダクタ５２のみよりも、インダクタ５２およびキャパシタ５３を用いることによって、より広範囲な位相シフトが可能になる。したがって、所望とする位相シフト量を確実に設定することができる。
【００７２】
次に、本発明の第３の実施形態に係る高周波フロントエンド回路について、図を参照して説明する。図４は、本発明の第３の実施形態に係る高周波フロントエンド回路の回路図である。
【００７３】
本実施形態に係る高周波フロントエンド回路１０Ｃは、第１の実施形態に係る高周波フロントエンド回路１０に対して、第３スイッチ回路３３、第４分波器４３、調整回路５０Ｃを追加し、第１分波器２０Ｃの構成が異なるものである。
【００７４】
第１分波器２０Ｃは、３つの周波数帯域を分波する。例えば、ローバンド、ミドルバンド、ハイバンドを分波する。第１分波器２０Ｃは、第１スイッチ回路３１、第２スイッチ回路３２、第３スイッチ回路３３に接続されている。
【００７５】
第３スイッチ回路３３は、共通端子Ｐ３０と被選択端子Ｐ３１−Ｐ３４を備える。被選択端子Ｐ３１−Ｐ３４は、共通端子Ｐ３０に対して選択的に接続される。
【００７６】
第２スイッチ回路３２の各被選択端子Ｐ３１−Ｐ３４には、それぞれミドルバンドの通信バンド毎の送受信回路が接続されている。例えば、図４に示すように、被選択端子Ｐ３３には、ミドルバンドの通信バンドＣ用の第４分波器４３が接続されている。なお、図示していないが、被選択端子Ｐ３１，Ｐ３２，Ｐ３４についても、被選択端子Ｐ３３に接続される回路と同様の回路が接続されている。
【００７７】
第４分波器４３は、所謂１つの通信バンドを構成する送信信号と受信信号を分けるデュプレクサである。第４分波器４３は、ローパスフィルタ４３１とハイパスフィルタ４３２の組み合わせによって構成されている。なお、送信信号及び受信信号の周波数帯域によっては、通過帯域の異なる２つの弾性波フィルタによって、第４分波器４３を構成してもよい。
【００７８】
ローパスフィルタ４３１は、第３スイッチ回路３３の被選択端子Ｐ３３と第３受信信号出力端子Ｐｒｘ３との間に接続されている。ローパスフィルタ４３１は、第３受信用線路ＬＮｒｘ３を介して第３受信信号出力端子Ｐｒｘ３に接続されている。
【００７９】
ハイパスフィルタ４３２は、第３スイッチ回路３３の被選択端子Ｐ３３と第３送信信号入力端子Ｐｔｘ３との間に接続されている。ハイパスフィルタ４３２は、第３送信用線路ＬＮｔｘ３を介して第３送信信号入力端子Ｐｔｘ３に接続されている。
【００８０】
調整回路５０Ｃは、第１送信用線路ＬＮｔｘ１と第３受信用線路ＬＮｒｘ３との間に接続されている。
【００８１】
調整回路５０Ｃのインピーダンスは、第４分波器４３からの通信バンドＡの送信信号の高調波信号の振幅と調整回路５０Ｃからの通信バンドＡの送信信号の高調波信号の振幅とが略一致（特に一致）し、調整回路５０Ｃと第３受信用線路ＬＮｒｘ３との接続点において第４分波器４３からの通信バンドＡの送信信号の高調波信号の振幅と調整回路５０Ｃからの通信バンドＡの送信信号の高調波信号の振幅とが同相にならない（特に逆相である）ように、設定されている。
【００８２】
このような構成により、通信バンドＡの送信と通信バンドＣの受信のキャリアアグリゲーションが行われていても、通信バンドＡの送信信号の高調波信号の周波数が、通信バンドＣの受信信号の周波数に近接又は重なっていても、受信信号の受信感度の劣化を抑制することができる。
【００８３】
以上のように、本実施形態では、１つ通信バンドの送信信号の高調波周波数が、他の複数の通信バンドの受信信号の周波数に近接又は重なっていても、受信信号の受信感度の劣化を抑制することができる。
【００８４】
なお、本実施形態の構成を応用して適用することによって、第２送信用線路ＬＮｔｘ２と第３受信用線路ＬＮｒｘ３との間に調整回路を接続して、第２送信信号入力端子Ｐｔｘ２から入力される送信信号の高調波信号が第３受信信号出力端子Ｐｒｘ３に漏洩することを抑制することができる。
【００８５】
また、上述の実施形態では、各分波器の具体的な回路構成を記載してないが、インダクタ、キャパシタを組み合わせた回路の場合、調整回路のインダクタまたはキャパシタに意図的に結合させ、調整回路のインダクタの形状を小さくすることができる。これにより、調整回路を小型化でき、高周波フロントエンド回路を小型にすることができる。この際、結合量を調整することによって、各分波器を構成するフィルタの特性を調整し、追加のインダクタまたはキャパシタを用いることなく、分波器を所望の特性にすることも可能である。
【符号の説明】
【００８６】
１０，１０Ｃ：高周波フロントエンド回路
２０，２０Ｃ：第１分波器
２１：ローパスフィルタ
２２：ハイパスフィルタ
３１：第１スイッチ回路
３２：第２スイッチ回路
３３：第３スイッチ回路
４１：第２分波器
４２：第３分波器
４３：第４分波器
５０，５０Ａ，５０Ｃ：調整回路
５１：抵抗器
５２：インダクタ
５３：キャパシタ
４１１：ローパスフィルタ
４１２：ハイパスフィルタ
４２１：ローパスフィルタ
４２２：ハイパスフィルタ
４３１：ローパスフィルタ
４３２：ハイパスフィルタ
【図１】
2016194923.tif 000003
【図２】
2016194923.tif 000004
【図３】
2016194923.tif 000005
【図４】
2016194923.tif 000006
【図５】
2016194923.tif 000007
【国際調査報告】
2016194923.tif 000008
2016194923.tif 000009